(57)【要約】  ドア本体アセンブリ用の電気プラグロック（１０）、ドア本体アセンブリ、及び自動販売機（１００）であって、電気プラグロック（１０）は、ロック本体（１１）と、ロック片（１１）と、トリガ装置（２）と、制御装置とを含み、ロック本体（１１）に伸縮可能なボルト（１１１）が設けられ、ロック片（１１）にボルト（１１１）と嵌合するように適したロック孔（１２１）が設けられ、トリガ装置（２）は、ドア本体アセンブリ及び／または電気プラグロック（１０）に設けられ、トリガ装置（２）はボルト（１１１）がロック孔（１２１）に位置合わせされた時にトリガされるように構成され、制御装置はトリガ装置（２）に電気的に接続され、ボルト（１１１）に電気的に接続され、制御装置はトリガ装置（２）がトリガされた時に、ボルト（１１１）がロック本体（１１）から突出するように構成される。
2021527771.tif 000002
【特許請求の範囲】
【請求項１】
ドアフレームと、第１の端部が前記ドアフレームに枢動可能に設けられたドア本体と、を含むドア本体アセンブリ用の電気プラグロックであって、
前記ドアフレーム及び前記ドア本体の一方に設けられるように適し、伸縮可能なボルトが設けられたロック本体と、
前記ドアフレーム及び前記ドア本体の他方に設けられるように適し、前記ボルトと嵌合するように適したロック孔が設けられたロック片と、
前記ドア本体アセンブリ及び前記電気プラグロックの少なくとも一方に設けられ、前記ボルトが前記ロック孔に位置合わせされた時にトリガされるように構成されたトリガ装置と、
前記トリガ装置に電気的に接続され、前記ボルトに電気的に接続され、前記トリガ装置がトリガされた時に、前記ボルトが前記ロック本体から突出するように制御するように構成された制御装置と、を含む、
ドア本体アセンブリ用の電気プラグロック。
【請求項２】
前記トリガ装置は、前記ボルトの前記ドア本体の第１の端部から離れた側に位置する、
ことを特徴とする請求項１に記載のドア本体アセンブリ用の電気プラグロック。
【請求項３】
前記トリガ装置は、検出装置と被検出装置と、を含み、前記検出装置が前記被検出装置を検出した時に、前記トリガ装置はトリガされる、
ことを特徴とする請求項２に記載のドア本体アセンブリ用の電気プラグロック。
【請求項４】
前記検出装置及び前記被検出装置の一方は、前記ロック本体に設けられ、前記検出装置及び前記被検出装置の他方は、前記ロック片に設けられる、
ことを特徴とする請求項３に記載のドア本体アセンブリ用の電気プラグロック。
【請求項５】
前記検出装置及び前記被検出装置の一方は、前記ロック本体の長手方向の一端に設けられ、前記ボルトは、前記ロック本体の長手方向の他端に設けられる、
ことを特徴とする請求項４に記載のドア本体アセンブリ用の電気プラグロック。
【請求項６】
前記検出装置及び前記被検出装置の他方の中心は、前記ロック片の幅方向において、前記ロック片の中心線の外側へずれる、
ことを特徴とする請求項４または５に記載のドア本体アセンブリ用の電気プラグロック。
【請求項７】
前記検出装置及び前記被検出装置の一方は、前記ドアフレームに設けられ、前記検出装置及び前記被検出装置の他方は、前記ドア本体に設けられる、
ことを特徴とする請求項３〜６のいずれか１項に記載のドア本体アセンブリ用の電気プラグロック。
【請求項８】
前記検出装置は近接スイッチであり、前記被検出装置は磁石である、
ことを特徴とする請求項３〜７のいずれか１項に記載のドア本体アセンブリ用の電気プラグロック。
【請求項９】
前記検出装置の前記被検出装置に隣接する側に設けられたシールド部材をさらに含む、
ことを特徴とする請求項８に記載のドア本体アセンブリ用の電気プラグロック。
【請求項１０】
前記検出装置は赤外線センサである、
ことを特徴とする請求項３〜９のいずれか１項に記載のドア本体アセンブリ用の電気プラグロック。
【請求項１１】
前記トリガ装置は、前記ドアフレームに設けられた機械的スイッチを含み、前記ドア本体が前記機械的スイッチに接触した時、前記トリガ装置はトリガされる、
ことを特徴とする請求項２〜１０のいずれか１項に記載のドア本体アセンブリ用の電気プラグロック。
【請求項１２】
前記ボルトが前記ロック孔に位置合わせされた時、前記ボルトの中心軸は、前記ロック孔の中心軸と重合する、
ことを特徴とする請求項１〜１１のいずれか１項に記載のドア本体アセンブリ用の電気プラグロック。
【請求項１３】
ドア本体アセンブリであって、請求項１〜１２のいずれか１項に記載のドア本体アセンブリ用の電気プラグロックを含む、
ドア本体アセンブリ。
【請求項１４】
自動販売機であって、請求項１３に記載のドア本体アセンブリを含む、
ことを特徴とする自動販売機。
【発明の詳細な説明】
【技術分野】
【０００１】
（関連出願の相互参照）
本願は、出願番号２０１８１０６３８７１４．３、出願日２０１８年０６月２０日の中国特許出願に基づいて提出され、かつ当該中国特許出願の優先権を主張し、当該中国特許出願の内容の全てが参照によって本願に組み込まれる。
【０００２】
本願は、電気プラグロックの技術分野に関し、特に、ドア本体アセンブリ用の電気プラグロック、ドア本体アセンブリ、及び自動販売機に関する。
【背景技術】
【０００３】
従来技術では、電気プラグロックのボルトの近傍にトリガ装置が設けられ、制御装置はトリガ装置の状態に応じてボルトがロック本体から突出してロック孔と係合するように制御する。実際の装着時、ボルトはトリガ装置よりもドア開き側に近く、ドア閉じ過程において、トリガ装置は事前にトリガされるが、この時点でボルトはロック孔に位置合わせされず、電気プラグロックのロッキング遅延機能を設定することで、ロッキングを確実に行うことができる。従来の電気プラグロック構造及び装着構造は、確実性が低く、ユーザの待ち時間と電気プラグロックのコストが増加する。
【発明の概要】
【発明が解決しようとする課題】
【０００４】
本願は、従来技術に存在する技術的課題のうちの少なくとも１つを解決することを目的とする。このために、本願は、ドアを閉じる際に正確で安全で、遅延せずにロッキングすることを効果的に保証するドア本体アセンブリの電気プラグロックを提供することを１つの目的とする。
【課題を解決するための手段】
【０００５】
本願は、さらに、上記の電気プラグロックを有するドア本体アセンブリを提供する。
【０００６】
本願は、さらに、上記のドア本体アセンブリを有する自動販売機を提供する。
【０００７】
本願の第１の態様の実施例に係るドア本体アセンブリ用の電気プラグロックによれば、ドア本体アセンブリは、ドアフレームと、第１の端部がドアフレームに枢動可能に設けられたドア本体とを含み、電気プラグロックは、ドアフレーム及びドア本体の一方に設けられるように適し、伸縮可能なボルトが設けられたロック本体と、ドアフレーム及びドア本体の他方に設けられるように適し、ボルトと嵌合するように適したロック孔が設けられたロック片と、ドア本体アセンブリ及び電気プラグロックの少なくとも一方に設けられ、ボルトがロック孔に位置合わせされた時にトリガされるように構成されたトリガ装置と、トリガ装置に電気的に接続され、ボルトに電気的に接続され、トリガ装置がトリガされた時に、ボルトがロック本体から突出するように制御するように構成された制御装置とを含む。
【０００８】
本願の実施例に係るドア本体アセンブリ用の電気プラグロックによれば、トリガ装置を、ボルトがロック孔に位置合わせされた時にトリガされるように構成し、トリガ装置がトリガされた時、制御装置によりボルトがロック本体から突出するように制御することで、ドアを閉じる際、ロック孔がボルトに位置合わせされた時に、ボルトがロック本体から突出するように制御することができ、ドアを閉じる際に正確で安全にロッキングすることを確保することができ、または、干渉が発生してボルトがロック孔に入らない状況を避けることができ、電気プラグロックの安全性と確実性を高め、使用中における不確実なロッキングによる経済的損失を効果的に避け、メンテナンスコストを低減することができる。
【０００９】
同時に、本願のトリガ装置がトリガされた時に、制御装置は、ボルトがロック本体から突出してロック孔内に突入してロック孔と嵌合するように制御し、従来技術の電気プラグロックに比べて遅延システムが省略され、電気プラグロックのコストが大幅に低減され、ユーザの待ち時間が短縮され、ユーザが急速なドアの閉じと急速なドアの開きを体験することができる。
【００１０】
本願のいくつかの実施例によれば、トリガ装置は、ボルトのドア本体の第１の端部から離れた側に位置する。
【００１１】
本願のいくつかの実施例によれば、トリガ装置は、検出装置と被検出装置とを含み、検出装置が被検出装置を検出した時に、トリガ装置はトリガされる。
【００１２】
本願のいくつかの実施例では、検出装置及び被検出装置の一方は、ロック本体に設けられ、検出装置及び被検出装置の他方は、ロック片に設けられる。
【００１３】
具体的には、検出装置及び被検出装置の一方は、ロック本体の長手方向の一端に設けられ、ボルトは、ロック本体の長手方向の他端に設けられる。
【００１４】
本願のいくつかの実施例では、検出装置及び被検出装置の他方の中心は、ロック片の幅方向において、ロック片の中心線の外側へずれる。
【００１５】
本願の他のいくつかの実施例では、検出装置及び被検出装置の一方は、ドアフレームに設けられ、検出装置及び被検出装置の他方は、ドア本体に設けられる。
【００１６】
本願のいくつかの好ましい実施例では、検出装置は近接スイッチであり、被検出装置は磁石である。
【００１７】
本願のいくつかのさらなる実施例によれば、電気プラグロックは、検出装置の被検出装置に隣接する側に設けられたシールド部材をさらに含む。
【００１８】
本願のいくつかの好ましい実施例では、検出装置は赤外線センサである。
【００１９】
本願の他のいくつかの実施例によれば、トリガ装置は、ドアフレームに設けられた機械的スイッチを含み、ドア本体が機械的スイッチに接触した時、トリガ装置はトリガされる。
【００２０】
本願のいくつかの実施例では、ボルトがロック孔に位置合わせされた時、ボルトの中心軸は、ロック孔の中心軸と重合する。
【００２１】
本願の第２の態様の実施例に係るドア本体アセンブリによれば、本願の上記の第１の態様の実施例に係るドア本体アセンブリ用の電気プラグロックを含む。
【００２２】
本願の第２の態様の実施例に係るドア本体アセンブリによれば、本願の上記の第１の態様の実施例に係る電気プラグロックを設けることにより、ドアを閉じる際、ロック孔がボルトに位置合わせされた時、ボルトがロック本体から突出するように制御することができ、ドアを閉じる際に正確で安全にロッキングすることを確保することができ、または、干渉が発生してボルトがロック孔に入らない状況を避けることができ、電気プラグロックの安全性と確実性を高め、使用中における不確実なロッキングによる経済的損失を効果的に避け、メンテナンスコストを低減することができる。同時に、遅延システムが省略され、電気プラグロックのコストが大幅に低減され、ユーザの待ち時間が短縮され、ユーザが急速なドアの閉じと急速なドアの開きを体験することができる。
【００２３】
本願の第３の態様の実施例に係る自動販売機によれば、本願の上記の第２の態様の実施例に係るドア本体アセンブリを含む。
【００２４】
本願の第３の態様の実施例に係る自動販売機によれば、本願の上記の第２の態様の実施例に係るドア本体アセンブリを設置することにより、ドアを閉じる際に正確で安全にロッキングすることを確保することができ、または、干渉が発生してボルトがロック孔に入らない状況を避けることができ、電気プラグロックの安全性と確実性を高め、使用中における不確実なロッキングによる経済的損失を効果的に避け、メンテナンスコストを低減することができる。同時に、遅延システムが省略され、電気プラグロックのコストが大幅に低減され、ユーザの待ち時間が短縮され、ユーザが急速なドアの閉じと急速なドアの開きを体験することができる。
【発明の効果】
【００２５】
本願の追加の態様及び利点は、以下の記述において、一部が説明され、他の一部が以下の記述から明らかになり、または本願の実践により理解される。
【図面の簡単な説明】
【００２６】
本願の上記の及び／または追加の態様及び利点は、以下の図面に関連して考えられる実施例の以下の説明から明らかになり、より容易に理解されるであろう。
【図１】本願の実施例に係る自動販売機の概略図であり、ドア本体が開き状態にある。
【図２】本願の実施例に係る自動販売機の概略図であり、ドア本体が閉じ状態にある。図２ａは、図２のＡ部の拡大図である。
【図３】図２に示された電気プラグロックのラッチ本体の断面図である。
【図４】図２に示された電気プラグロックのロック片の断面図である。
【図５】本願の他の実施例に係る自動販売機の概略図であり、ドア本体が閉じ状態にある。図５ａは、図５のＢ部の拡大図である。
【発明を実施するための形態】
【００２７】
以下、本願の実施例を詳細に説明するが、前記実施例の例は図面に示されており、全体を通して同一または類似の符号は同一または類似の要素または同一または類似の機能を有する要素を示す。添付の図面を参照して以下に説明される実施例は、例示的なものであり、本願を説明するためのものにすぎず、本願を限定するものと解釈されるべきではない。
【００２８】
以下、図１〜図５を参照して、本願の実施例に係るドア本体アセンブリ用の電気プラグロック１０について説明する。ここで、ドア本体アセンブリは、自動販売機１００に用いてもよいが、これに限定されるものではない。
【００２９】
図１及び図２に示すように、ドア本体アセンブリは、ドアフレーム１０２と、ドア本体１０１を開閉するように、第１の端部がドアフレーム１０２に枢動可能に設けられたドア本体１０１とを含む。例えば、ドア本体１０１の第１の端部は、ヒンジ１０３を介してドアフレーム１０２に接続されてもよく、構造がシンプルであり、装着しやすい。
【００３０】
本願の実施例に係るドア本体アセンブリ用の電気プラグロック１０は、ロック本体１１と、ロック片１２と、トリガ装置２と、制御装置とを含む。
【００３１】
ここで、ロック本体１１は、ドアフレーム１０２とドア本体１０１の一方に設けられるように適し、ロック片１２は、ドアフレーム１０２とドア本体１０１の他方に設けられるように適する。具体的には、ロック本体１１がドアフレーム１０２に設けられる場合、ロック片１２は、ドア本体１０１に設けられてもよい。ロック本体１１がドア本体１０１に設けられる場合、ロック片１２はドアフレーム１０２に設けられてもよい。例えば、図２の例では、ロック片１２は、ドア本体１０１の頂部に設けられ、ロック本体１１は、ロック片１２と対向するようにドアフレーム１０２に設けられる。
【００３２】
ロック本体１１には伸縮可能なボルト１１１が設けられ、ロック片１２にボルト１１１と嵌合するように適したロック孔１２１が設けられる。例えば、図２〜図４を参照して、ロック本体１１及びロック片１２は、いずれも略長方形状に形成されてもよい。ボルト１１１は、円柱状に形成されてもよく、ロック孔１２１は、円形孔に形成されてもよい。好ましくは、ボルト１１１の断面の直径は、ロック孔１２１の直径よりも小さい。これにより、ドア本体１０１をドアフレーム１０２に係止するように、ボルト１１１がロック孔１２１内に突入してロック孔１２１と係合する。
【００３３】
トリガ装置２は、ドア本体アセンブリ及び／または電気プラグロック１０に設けられ、トリガ装置２は、ボルト１１１がロック孔１２１に位置合わせされた時にトリガされるように構成される。制御装置は、トリガ装置２に電気的に接続され、ボルト１１１に電気的に接続され、制御装置は、トリガ装置２がトリガされた時に、ボルト１１１がロック本体１１から突出するように制御するように構成される。
【００３４】
具体的には、トリガ装置２をドア本体アセンブリのみに設けてもよいし、または、トリガ装置２を電気プラグロック１０のみに設けてもよいし、または、トリガ装置２をドア本体アセンブリ及び電気プラグロック１０の両方に設けてもよい。例えば、図２の例では、トリガ装置２が電気プラグロック１０に設けられる。また例えば、図５の例では、トリガ装置２がドア本体アセンブリに設けられる。
【００３５】
例えば、ドアを閉じる過程で、ボルト１１１がロック孔１２１に位置合わせされた時にトリガ装置２がトリガされることができ、この時に制御装置は、ボルト１１１がロック本体１１から突出するように制御することで、ボルト１１１がロック孔１２１内に突入してロック孔１２１と係合することができる。
【００３６】
このように、本願の実施例に係るドア本体アセンブリ用の電気プラグロック１０によれば、トリガ装置２を、ボルト１１１がロック孔１２１に位置合わせされた時にトリガされるように構成し、トリガ装置２がトリガされた時、制御装置によりボルト１１１がロック本体１１から突出するように制御することで、ドアを閉じる際、ロック孔１２１がボルト１１１に位置合わせされた時、ボルト１１１がロック本体１１から突出するように制御することができ、ドアを閉じる際に正確で安全にロッキングすることを確保することができ、または、干渉が発生してボルト１１１がロック孔１２１に入らない状況を避けることができ、電気プラグロック１０の安全性と確実性を高め、使用中における不確実なロッキングによる経済的損失を効果的に避け、メンテナンスコストを低減することができる。
【００３７】
同時に、本願におけるトリガ装置２がトリガされた時に、制御装置は、ボルト１１１がロック本体１１から突出してロック孔１２１内に突入してロック孔１２１と嵌合するように制御し、従来技術の電気プラグロック１０に比べて遅延システムが省略され、電気プラグロック１０のコストが大幅に低減され、ユーザの待ち時間が短縮され、ユーザが急速なドアの閉じと急速なドアの開きを体験することができる。
【００３８】
本願のいくつかの実施例によれば、トリガ装置２は、ボルト１１１のドア本体１０１の第１の端部から離れた側に位置する。例えば、図２及び図５を参照すると、ドア本体１０１の第１の端部は、ボルト１１１の右側に位置し、トリガ装置２は、ボルト１１１の左側に位置する。これにより、トリガ装置２をボルト１１１に対してドア開き側により近づけることができ、これにより、ドアを閉じる過程で、ボルト１１１がロック孔１２１に位置合わせされた時に、トリガ装置２がトリガされることを保証することができ、ボルト１１１がロック孔１２１に位置合わせされた時に事前にトリガされることがなく、遅延システムが省略され、電気プラグロック１０のコストが大幅に低減され、ユーザの待ち時間が短縮され、ユーザが急速なドアの閉じと急速なドアの開きを体験することができ、ドアを閉じる際に電気プラグロック１０が正確で安全にロッキングすることを確保することができる。
【００３９】
本願のいくつかの実施例によれば、トリガ装置２は、検出装置２１と被検出装置２２とを含み、検出装置２１が被検出装置２２を検出した時に、トリガ装置２はトリガされる。
【００４０】
例えば、本願のいくつかの好ましい実施例では、検出装置２１は近接スイッチであり、被検出装置２２は磁石である。好ましくは、検出装置２１は、リードスイッチやホールスイッチであってもよい。ドアを閉じる過程で、検出装置２１と被検出装置２２との間の距離が所定の距離に達すると、検出装置２１が被検出装置２２を検出し、制御装置に信号を送り、制御装置によりボルト１１１がロック本体１１から突出するように制御する。
【００４１】
さらに、電気プラグロック１０は、検出装置２１の被検出装置２２に隣接する側に設けられたシールド部材３をさらに含む。好ましくは、シールド部材３は、鉄製部材であってもよい。これにより、検出装置２１の検出精度に対する電気プラグロック１０のコイルの影響を小さくすることができる。
【００４２】
また、本願の他のいくつかの好ましい実施例では、検出装置２１は赤外線センサである。これにより、同様に、検出装置２１が被検出装置２２を検出した時に、制御装置に信号を送り、制御装置によりボルト１１１がロック本体１１から突出するように制御することができる。
【００４３】
本願のいくつかの実施例によれば、検出装置２１及び被検出装置２２の一方はロック本体１１に設けられ、検出装置２１及び被検出装置２２の他方はロック片１２に設けられる。具体的には、検出装置２１がロック本体１１に設けられる場合、被検出装置２２はロック片１２に設けられてもよい。検出装置２１がロック片１２に設けられる場合、被検出装置２２はロック本体１１に設けられる。これにより、トリガ装置２を電気プラグロック１０に一体化することができ、電気プラグロック１０の組立工程を簡略化し、組立効率を向上させる。
【００４４】
具体的には、検出装置２１及び被検出装置２２の上記の一方は、ロック本体１１の長手方向の一端に設けられ、ボルト１１１は、ロック本体１１の長手方向の他端に設けられる。例えば、図２を参照して、被検出装置２２は、ロック本体１１の左端に設けられ、ボルト１１１は、ロック本体１１の右端に設けられる。これにより、ドアを閉じる過程で、ボルト１１１がロック孔１２１に位置合わせされた時に、トリガ装置２がトリガされることをさらに保証することができ、ボルト１１１がロック孔１２１に位置合わせされた時に事前にトリガされることがなく、遅延システムが省略され、電気プラグロック１０のコストが大幅に低減され、ユーザの待ち時間が短縮され、ユーザが急速なドアの閉じと急速なドアの開きを体験することができ、ドアを閉じる際に電気プラグロック１０が正確で安全にロッキングすることを確保することができる。
【００４５】
本願のいくつかの実施例では、検出装置２１及び被検出装置２２の上記の他方の中心は、ロック片１２の幅方向において、ロック片１２の中心線の外側へずれる。具体的に、検出装置２１がロック片１２に設けられる場合、検出装置２１の中心はロック片１２の中心線の外側へずれる。被検出装置２２がロック片１２に設けられる場合、被検出装置２２の中心はロック片１２の中心線の外側へずれる。
【００４６】
例えば、図４を参照すると、ロック片１２の上記の中心線はロック片１２の長手方向に延びる中心線である。被検出装置２２はロック片１２に設けられ、ロック片１２の上記の中心線のドアフレーム１０２から遠い側に被検出装置２２の中心が位置する。これにより、ロッキング精度をさらに高めることができる。
【００４７】
本願の他のいくつかの実施例では、検出装置２１及び被検出装置２２の一方はドアフレーム１０２に設けられ、検出装置２１及び被検出装置２２の他方はドア本体１０１に設けられる。具体的には、検出装置２１がドアフレーム１０２に設けられる場合、被検出装置２２は、ドア本体１０１に設けられてもよい。検出装置２１がドア本体１０１に設けられる場合、被検出装置２２はドアフレーム１０２に設けられてもよい。これにより、トリガ装置２を電気プラグロック１０のロック本体１１とロック片１２から分離することができ、ロック片１２とロック本体１１のサイズを小さくすることで、電気プラグロック１０の装着位置を実際のニーズに合わせてより柔軟に選択することができ、電気プラグロック１０の装着をより柔軟に行うことができる。
【００４８】
本願の他のいくつかの実施例では、トリガ装置２は、ドアフレーム１０２に設けられた機械的スイッチ（図示せず）を含み、ドア本体１０１が機械的スイッチに接触した時、トリガ装置２はトリガされる。好ましくは、機械的スイッチはマイクロスイッチであってもよい。マイクロスイッチの具体的な動作原理は、当業者に周知であり、ここでは詳細には説明しない。
【００４９】
これにより、ドアを閉じる過程で、ボルト１１１がロック孔１２１に位置合わせされるようにドア本体１０１が所定の位置まで移動する時、トリガ装置２をトリガするようにドア本体１０１が機械的スイッチに接触して、機械的スイッチをオン・オフさせ、制御装置によりボルト１１１がロック本体１１から突出してロック孔１２１内に突入してロック孔１２１と係合する。
【００５０】
本願のいくつかの実施例では、ボルト１１１がロック孔１２１に位置合わせされた時、ボルト１１１の中心軸は、ロック孔１２１の中心軸と重合する。これにより、ボルト１１１がロック孔１２１内に突入してロック孔１２１と係合することを保証し、電気プラグロック１０のロッキング精度をさらに向上させる。
【００５１】
本願の実施例に係る電気プラグロック１０の他の構成及び動作は、当業者に周知であり、ここでは詳細には説明しない。
【００５２】
本願の第２の態様の実施例に係るドア本体アセンブリは、本願の上記の第１の態様の実施例に係るドア本体アセンブリ用の電気プラグロック１０を含む。
【００５３】
本願の第２の態様の実施例に係るドア本体アセンブリは、本願の上記の第１の態様の実施例に係る電気プラグロック１０を設けることで、ドアを閉じる際、ロック孔１２１がボルト１１１に位置合わせされた時、ボルト１１１がロック本体１１から突出するように制御することができ、ドアを閉じる際に正確で安全にロッキングすることを確保することができ、または、干渉が発生してボルト１１１がロック孔１２１に入らない状況を避けることができ、電気プラグロック１０の安全性と確実性を高め、使用中における不確実なロッキングによる経済的損失を効果的に避け、メンテナンスコストを低減することができる。同時に、遅延システムが省略され、電気プラグロック１０のコストが大幅に低減され、ユーザの待ち時間が短縮され、ユーザが急速なドアの閉じと急速なドアの開きを体験することができる。
【００５４】
本願の第３の態様の実施例に係る自動販売機１００は、本願の上記の第２の態様の実施例に係るドア本体アセンブリを含む。
【００５５】
本願の第３の態様の実施例に係る自動販売機１００は、本願の上記の第２の態様の実施例に係るドア本体アセンブリを設けることで、ドアを閉じる際に正確で安全にロッキングすることを確保することができ、または、干渉が発生してボルト１１１がロック孔１２１に入らない状況を避けることができ、電気プラグロック１０の安全性と確実性を高め、使用中における不確実なロッキングによる経済的損失を効果的に避け、メンテナンスコストを低減することができる。同時に、遅延システムが省略され、電気プラグロック１０のコストが大幅に低減され、ユーザの待ち時間が短縮され、ユーザが急速なドアの閉じと急速なドアの開きを体験することができる。
【００５６】
本願の説明において、「中心」、「長手方向」、「横方向」、「長さ」、「幅」、「厚さ」、「上」、「下」、「前」、「後」、「左」、「右」、「垂直」、「水平」、「頂」、「底」、「内」、「外」などの用語によって示される方位または位置関係は、添付の図面に示される方位または位置関係に基づくものであり、本願の説明を容易にし、説明を簡略化するためだけのものであり、言及された装置または要素が特定の方位を有し、特定の方位で構築及び操作されなければならないことを指示または暗示するものではなく、したがって本願を限定するものとして解釈されるべきではない。
【００５７】
本明細書の説明において、「一実施例」、「いくつかの実施例」、「例示的な実施例」、「例」、「特定の例」、または「いくつかの例」などの用語に関する記載は、その実施例または例に関連して記載される特定の特徴、構造、材料、または特性が、本願の少なくとも１つの実施例または例に含まれることを意味する。本明細書において、上記の用語の例示的な表現は、必ずしも同じ実施例または例を指すものではない。さらに、説明された特定の特徴、構造、材料、または特性は、１つまたは複数の実施例または例のいずれかにおいて、適切な方式で組み合わされ得る。
【００５８】
本願の実施例を示して説明したが、当業者であれば、本願の原理と主旨から逸脱せずに、これらの実施例に対して様々な変更、修正、取り替え、変形を行うことができ、本願の範囲は特許請求の範囲及びその均等物により制限されることを理解すべきである。
【符号の説明】
【００５９】
１００  自動販売機
１０１  ドア本体
１０２  ドアフレーム
１０３  ヒンジ
１０  電気プラグロック
１１  ロック
１１１  本体ボルト
１２  ロック片
１２１ロック孔
２  トリガ装置
２１  検出装置
２２  被検出装置
３  シールド部材
【図１】
2021527771.tif 000003
【図２】
2021527771.tif 000004
【図２ａ】
2021527771.tif 000005
【図３】
2021527771.tif 000006
【図４】
2021527771.tif 000007
【図５】
2021527771.tif 000008
【図５ａ】
2021527771.tif 000009
【国際調査報告】
2021527771.tif 000010
2021527771.tif 000011
2021527771.tif 000012
2021527771.tif 000013
2021527771.tif 000014
2021527771.tif 000015